(57)【要約】【課題】    プール水が循環回流する流水路の配管口へ、人や物が吸込まれたり引寄せられたりするのを防止し、安全性を向上させた流水プールの配管口構造を提供する。【解決手段】    開渠状の流水路２を形成し、当該流水路２の複数箇所に吐出口７、吸水口８、循環水口、排水口などの配管口を開口した配管１３をそれぞれ設けて流水を循環させる流水プールの各配管１３の開口部１４に、着脱自在で格子構造の安全蓋体９、つまり挿入管蓋９Ａ、又は目皿状蓋９Ｂを設ける。【選択図】  図１
2008050867.tif 000002
【特許請求の範囲】
【請求項１】
開渠状の流水路を形成し、当該流水路の複数箇所に吐出口、吸水口、循環水口、排水口などの配管口を開口した配管をそれぞれ設けて流水を循環させる流水プールの各配管の配管口に、着脱自在で格子構造の安全蓋体を設けることを特徴とする流水プールの配管口構造。
【請求項２】
上記安全蓋体は、リングパッキン付き挿入管蓋に形成し、当該挿入管蓋を配管口に差込んで固定したことを特徴とする請求項１記載の流水プールの配管口構造。
【請求項３】
上記安全蓋体は、目皿状蓋に形成し、当該目皿状蓋を配管口に被せて固定したことを特徴とする請求項１記載の流水プールの配管口構造。
【発明の詳細な説明】
【技術分野】
【０００１】
この発明は、レジャー用流水プールの配管口構造に関するものである。
【背景技術】
【０００２】
一般的なレジャー用の流水プールの概略を、図３に基づいて説明する。流水プール１には、例えば、断面Ｕ字形の開渠状に鋼材、合成樹脂材、コンクリート構造体、或いはこれらの複合構造体で形成した水路を、円形状、楕円形状、円弧と直線を組合せた各種平面形状等に配設して、プール水が循環回流する流水路２が形成されている。
図３は円弧と直線を組合せた平面形状に、断面Ｕ字形の開渠状に形成した水路を配設して循環する流水路２を形成したもので、流水路２の内側中央部には、日光浴や休憩等が可能な中の島３を設けたり、子供用の遊泳プール４等が設けられており、この中の島３へは、流水路２の周囲に設けられたデッキ５から遊戯者が水路を越えて渡るブリッジ６が架設されている。また、周囲のデッキ５と内側の中の島３から遊戯者が流水路２内へ出入りするために、スロープや階段の出入口（図示省略）が流水路２の適所に設けられている。
【０００３】
流水プール１の所定箇所の側壁面や底壁面には種々の配管口が開口されている。流水路２内の下流方向に向けて吐出口７が設けられており、この吐出口７から水を勢い良く噴出してプール水の流れを加速するように形成されている。プール水は吸水口８から引き抜かれ、起流装置（図示省略）を経て吐出口７から噴出され、プール水に強制流を起こし流水路２内を循環回流する。また、流水路２や遊泳プール４には複数の循環吐出口、底部の排水口、水面近傍の溢流溝と溢流口等（図示省略）が、プール水の循環浄化のために設けられている。
【０００４】
配管口のうち、吸水口８を事例とし図４に例示して説明する。
流水路２の側壁１０には吸水口８があり、デッキ５の下部に配管１３が敷設され、開口部１４から循環水を吸入している。吸水口８の前方は側壁１０が矩形にくり抜かれ拡大され、矩形の枠体１１に金網、格子枠、パンチングメタルなどを有する柵、つまりフェンス１２が設けられている。
【０００５】
開渠状の流水路を複数設け、連絡水路で連絡し、切替自在の遮蔽体を形成した従来技術の発明には、本出願人による特開平９−２６８７８９号（特許文献１参照）「流水プール」の発明がある。
【０００６】
また、サーフィンプールと流水プールを組合せて連絡してレジャー性を向上させた従来技術の発明には、特開平−２７９８７２号（特許文献２参照）「プール施設」の発明がある。
【０００７】
【特許文献１】特開平９−２６８７８９号
【特許文献２】特開平９−２７９８７２号
【発明の開示】
【発明が解決しようとする課題】
【０００８】
上述した従来一般の流水路２を設けた流水プールは、幼児や年少者たちは流水プール内の途中でゆっくりしたり、止まったり、逆方向に進んだり、潜ったりして、水の流れや進行方向に関係なく自由に遊ぶなどするため、吐出口７、吸水口８、排水口などの配管口に、人や物が吸込まれる被害が発生する危険性があった。
殊に、図４に示す枠体１１のフェンス１２が取付けられていない場合や、例え枠体１１及びフェンス１２があっても万一外れた場合に、人が吸水口８に吸い込まれたり、身体の一部が引寄せられて身動きが出来なくなったり、溺れるなどの事故や被害が発生することがあった。
【０００９】
特許文献１の「流水プール」の発明は、複数の流水路を連絡水路で連絡し遮蔽体を切替えて利用する従来技術の発明である。
この従来技術の流水プールは、配管口の構造を示したものではない。
【００１０】
また、上記特許文献２の「プール施設」の発明は、サーフィンプールと流水プールを組合せて連絡してレジャー性を向上させた発明である。
この従来技術のプール施設は、配管口の構造と安全性を配慮したものではなかった。
【００１１】
この発明の目的は、上述の従来技術が有する問題点に鑑みてなされたもので、プール水が循環回流する流水路の配管口へ、人や物が吸込まれたり引寄せられたりするのを防止し、安全性を向上させた流水プールの配管口構造を提供するものである。
【課題を解決するための手段】
【００１２】
請求項１の発明に係る流水プールの配管口構造は、開渠状の流水路を形成し、当該流水路の複数箇所に吐出口、吸水口、循環水口、排水口などの配管口を開口した配管をそれぞれ設けて流水を循環させる流水プールの各配管の配管口に、着脱自在で格子構造の安全蓋体を設けるものである。
【００１３】
また、請求項２の発明に係る流水プールの配管口構造は、上記請求項１記載の安全蓋体をリングパッキン付き挿入管蓋に形成し、当該挿入管蓋を配管口に差込んで固定したものである。
【００１４】
また、請求項３の発明に係る流水プールの配管口構造は、上記請求項１記載の安全蓋体を目皿状蓋に形成し、当該目皿状蓋を配管口に被せて固定したものである。
【発明の効果】
【００１５】
請求項１の発明に係る流水プールの配管口構造は、開渠状の流水路を形成し、当該流水路の複数箇所に吐出口、吸水口、循環水口、排水口などの配管口を開口した配管をそれぞれ設けて流水を循環させる流水プールの各配管の配管口に、着脱自在で格子構造の安全蓋体を設けるので、人や物が吸込まれることなく、また引寄せられることもなく安全である。また、安全蓋体を取り外して掃除やメンテナンスができる。
【００１６】
また、請求項２の発明に係る流水プールの配管口構造は、上記請求項１記載の安全蓋体をリングパッキン付き挿入管蓋に形成し、当該挿入管蓋を配管口に差込んで固定したので、しっかりと安定化し、掃除やメンテナンスの際には簡単に挿脱して掃除や点検を行うことができる。また、リングは配管内壁との隙間を埋めているため水流で挿入管が振動などすることがない。
【００１７】
また、請求項３の発明に係る流水プールの配管口構造は、上記請求項１記載の安全蓋体を目皿状蓋に形成し、当該目皿状蓋を配管口に被せて固定したので、蓋のない既設の開口部に簡単に取付けることができ、掃除やメンテナンスの際には簡単に着脱することができる。
【発明を実施するための最良の形態】
【００１８】
この発明に係る流水プールの配管口構造、安全蓋体９（９A，９B）の実施の形態について、図１乃至図２を参照して説明する。
図１は本願の着脱自在で格子構造のリングパッキン付き挿入管蓋９Ａを示し、図２は着脱自在で格子構造の目皿状蓋９Ｂを示す。
【００１９】
流水を循環させる流水プールの配管口は、吐出口、吸水口の他に、循環水口、排水口などがあり、開渠状の流水路２の複数箇所に設けられている。これらの配管１３の開口部１４に、着脱自在構造の安全蓋体９，９Ａ，９Ｂを設けるものである。
【００２０】
吸水口８の場合について、配管口構造の実施形態例を図１に示して説明する。
流水路２の側壁には吸水口８を覆うように矩形の枠体（図示せず）が設けられ、この枠体には格子状や金網状などのフェンス（図示せず）が取付けられている。
図１に示すように、この吸水口８の配管１３の開口部１４に着脱自在で格子構造の安全蓋体９、つまりリングパッキン付きの挿入管蓋９Ａを設ける。
このリングパッキン付きの挿入管蓋９Ａは、内側に格子１９を設け、外周に合成ゴム材からなるパッキン状のリング１７，１７を取付ける。この挿入管１６を配管１３の開口部１４に差込み、外側の当り面１５Ａに圧着つば１５Ｂを押圧して固定したものである。
このリングパッキン付きの挿入管蓋９Ａを取付けた後は、水流によって密着性が保持される。
【００２１】
このように安全蓋体９、つまり挿入管蓋９Ａを簡単に取付けることにより、人や物が吸込まれることなく、また引寄せられることもなく安全である。この挿入管蓋９Ａは、掃除やメンテナンスの際に、簡単に挿脱して掃除や点検を行うことができる。
また、パッキン状のリング１７，１７を平行に隔離して設けていることにより、配管１３の内壁面との隙間を埋めてしっかりと固定することができる。また、使用中は間隙を埋めて振動を和らげる緩衝材となるため、装着した挿入管１６が水流によって振動し変形や損傷などを生じることがない。
【００２２】
また、吸水口８の場合について、配管口構造の他の事例を図２に示す。
図２に示すように、予め配管１３の開口部１４の周縁に、例えば円環状のつば２０Ａを接着などで取付けておく。安全蓋体９、つまり目皿状蓋９Ｂは、外側の円環状のつば２０Ｂより内側に、吸い込みを防止する格子１９を設けた目皿状に形成する。上記接着した円環状のつば２０Ａの外面に、上記目皿状蓋９Bの円環状のつば２０Ｂを被せ密着させて固定する。
この固定手段は、例えばネジ穴２１Ａに２１Ｂを合わせ、止めネジ２２などを用いてビス止めとする。
【００２３】
この図２に示す安全蓋体９、つまり目皿状蓋９Ｂは簡単な部材からなり、蓋のない既設の配管口１４にも簡単に取付けることができる。
この目皿状蓋９Ｂを設けることにより、人や物が吸込まれることなく、また引寄せられることもなく安全である。また、掃除やメンテナンスの際には、簡単に着脱することができる。
【００２４】
格子１９は、図１及び図２に示すような縦枠、又は縦横の格子、或いは開孔した平板などを採用し、大きな物が通過することのないようにするとともに、流水抵抗が大きくならないように通水部平面積を余り減少させない構造とする。
【産業上の利用可能性】
【００２５】
この発明の流水プールの配管口構造は、流水プールの配管口のみならず、種々の配管の配管口に適用し、蓋のない既設の配管口であっても、着脱容易で簡単かつ経済的に取付けることができる。
そして、配管口に人や物が吸込まれたり、引寄せられたりして張り付けられることもなく、安全性に優れた配管口構造とすることが可能となる。
【図面の簡単な説明】
【００２６】
【図１】この発明に係る流水プールの配管口構造の第一事例の安全蓋体を示す斜視説明図である。
【図２】この発明に係る流水プールの配管口構造の第二事例の安全蓋体を示す斜視説明図である。
【図３】従来例の一般的な流水プールを示す平面説明図である。
【図４】図３の配管口のうち、吸水口を示す説明図である。
【符号の説明】
【００２７】
１流水プール              ２流水路        
３中の島                  ４遊泳プール      
５デッキ                  ６ブリッジ      
７吐出口                  ８吸水口      
９安全蓋体    ９Ａ挿入管蓋    ９Ｂ目皿状蓋        
１０側壁      
１１枠体                  １２フェンス      
１３配管                  １４開口部      
１５Ａ当り面      １５Ｂ圧着つば      １６挿入管      
１７，１７リング      
１９格子                  ２０Ａ，２０Ｂつば      
２１Ａ，２１Ｂネジ穴      ２２止めネジ      
【図１】
2008050867.tif 000003
【図２】
2008050867.tif 000004
【図３】
2008050867.tif 000005
【図４】
2008050867.tif 000006